(57)【要約】【課題】資源を有効に利用でき、廃棄しても環境に悪影響を与えない切花輸送用の保水容器を提供する。【解決手段】古紙を溶解させて型により成形したパルプモールド製の本体１及び蓋２から構成し、この本体１と蓋２とを互いの外周のフランジ部５で嵌合させ、本体１には切花の茎の下端部を浸ける水を貯留し、蓋２には、切花の茎を挿通する茎挿し口３と、外周側からへ茎挿し口３へ向かう堰止壁４とを設けて、堰止壁４により横倒し状態での漏水を防止する。また、本体１及び蓋２のフランジ部５をプレス加工して、嵌合面６が平滑になるように所定の寸法に成形し、これにより漏水の防止性を高める。さらに、嵌合面６以外の表面を凸凹のエンボス面とし、表面積を増大させて通気性を高め、気化熱により水温の上昇を抑制し、切花の鮮度を維持する。【選択図】図１
2006062737.tif 000002
【特許請求の範囲】
【請求項１】
古紙を溶解させて型により成形したパルプモールド製の本体及び蓋から成り、この本体と蓋の外周のフランジ部をプレス加工して、嵌合面が平滑になるように所定の寸法に成形し、前記蓋には、切花の茎を挿通する茎挿し口と、外周側からへ茎挿し口へ向かう堰止壁とを設け、前記本体に切花の茎の下端部を浸ける水を貯留し、前記本体と蓋とをフランジ部で嵌合させ、前記蓋の堰止壁により横倒し状態での漏水を防止するようにした切花輸送用の紙製保水容器。
【請求項２】
前記本体及び蓋の嵌合面以外の表面を、凸凹のエンボス面としたことを特徴とする請求項１に記載の切花輸送用の紙製保水容器。
【発明の詳細な説明】
【技術分野】
【０００１】
この発明は、切花を水に挿して鮮度を保ちつつ、輸送できるようにした切花輸送用の保水容器に関するものである。
【背景技術】
【０００２】
従来、切花輸送用の梱包体として、図４に示すように、段ボール製の外箱５１及び台枠５２から成り、外箱５１の底部に台枠５２を挿入し、この台枠５２で鉢状の容器５３を保持して、容器５３に入れた土に切花５４を植えたままの状態で、切花５４を輸送できるようにしたものが使用されている（下記特許文献１参照）。
【０００３】
【特許文献１】実公平４−３９１３２号公報（第５図）
【発明の開示】
【発明が解決しようとする課題】
【０００４】
ところで、上記のような梱包体の容器５３に水を入れ、切花を水に挿した状態で輸送するには、外箱５１が倒れても水が漏れないように、容器５３として開口部に中心方向への堰止壁を設けたプラスチック成形体を使用する。
【０００５】
しかしながら、このような梱包体では、輸送先での開梱後に不要となった容器５３が嵩高い不燃ごみとして発生し、資源が無駄になるほか、プラスチックの容器５３は焼却すると黒煙や高熱を発生し、土中に埋め立てると長期間分解されないという問題がある。
【０００６】
そこで、この発明は、資源を有効に利用でき、廃棄しても環境に悪影響を与えない切花輸送用の保水容器を提供することを課題とする。
【課題を解決するための手段】
【０００７】
上記課題を解決するため、この発明に係る切花輸送用の保水容器は、古紙を溶解させて型により成形したパルプモールド製の本体及び蓋から成り、この本体と蓋の外周のフランジ部をプレス加工して、嵌合面が平滑になるように所定の寸法に成形し、前記蓋には、切花の茎を挿通する茎挿し口と、外周側からへ茎挿し口へ向かう堰止壁とを設け、前記本体に切花の茎の下端部を浸ける水を貯留し、前記本体と蓋とをフランジ部で嵌合させ、前記蓋の堰止壁により横倒し状態での漏水を防止するようにしたのである。
【０００８】
また、前記本体及び蓋の嵌合面以外の表面を、凸凹のエンボス面とし、表面積を増大させて通気性を高め、気化熱により水温の上昇を抑制するようにしたのである。
【発明の効果】
【０００９】
この保水容器は、新聞紙や使用済み段ボール等の古紙を原料として成形するので、資源を有効に利用でき、使用後には、さらに再生して利用することもできる。また、廃棄して焼却すると、黒煙や高熱を発生することなく燃焼し、土中に埋めても分解され、プラスチック製の容器のように環境に悪影響を与えることがない。そして、外観的には、紙独特の質感を有し、環境に優しいイメージを使用者や消費者に与えることができる。
【００１０】
また、紙は通気性に優れるので、表面から蒸発する水蒸気の気化熱により本体内の水温の上昇が抑制され、切花の鮮度が維持される。
【００１１】
また、このようなパルプモールド製の容器は、プラスチック製品のように、取扱時にねじれても割れる恐れが少なく、安全性にも優れたものとなる。
【発明を実施するための最良の形態】
【００１２】
以下、この発明の実施形態を添付図面に基づいて説明する。
【００１３】
図１に示すように、この保水容器は、古紙を溶解させて型により成形したパルプモールド製の本体１及び蓋２から構成される。本体１は、方形のカップ状のものであり、蓋２には、切花の茎を挿通する茎挿し口３と、外周側からへ茎挿し口３へ向かう堰止壁４とが設けられている。本体１及び蓋２の外周には、嵌合用のフランジ部５が形成されている。
【００１４】
本体１及び蓋２のフランジ部５は、モールド成形後にプレス加工して、図１及び図３に示すように、嵌合面６が平滑になるように所定の寸法に成形されている。本体１及び蓋２の嵌合面６以外の表面は、モールド成形時に型から分離したままの状態であり、型の内面形状に応じて凸凹のエンボス面となっている。
【００１５】
上記保水容器を切花の輸送時に使用する際には、図２及び図３に示すように、本体１に切花の茎の下端部を浸ける水を貯留し、本体１と蓋２とを互いの外周のフランジ部５で嵌合させる。そして、この保水容器を外箱の底部に収納し、茎挿し口３に束にした切花の茎を挿入して、外箱を封緘する。
【００１６】
このように保水容器を用いて切花を梱包すると、輸送中に外箱が倒されて、保水容器が横倒し状態になっても、堰止壁４にせき止められて、本体１からの漏水が防止される。また、フランジ部５の嵌合面６が平滑に成形されているので、本体１と蓋２の嵌合部分からの漏水も防止される。
【００１７】
また、紙は通気性に優れるという性質を有しており、さらに、この容器では、本体１及び蓋２の嵌合面以外の表面を凸凹のエンボス面として表面積を増大させ、通気性を高めているので、容器の表面から蒸発する水蒸気の気化熱により本体１内の水温の上昇が抑制され、切花の鮮度が維持される。
【００１８】
ところで、上記実施形態では、本体１及び蓋２の平面形状を方形としたが、この平面形状を六角形や八角形、円形等としてもよい。また、本体１と蓋２とがヒンジ部を介して繋がったものとしてもよい。
【００１９】
なお、参考として、パルプモールド製とステンレス製の花瓶に切花を挿して、これらを屋外に置いた状態で、日ごとにその総重量、水の蒸発量、水温及び切花の状態を観測した実験の記録を表１に示す。
【００２０】
【表１】
2006062737.tif 000003
【００２１】
また、パルプモールド製とガラス製、陶器製の花瓶に切花を挿して、これらを屋内に置いた状態で、日ごとにその総重量、水の蒸発量、水温及び切花の状態を観測した実験の記録を表２に示す。
【００２２】
【表２】
2006062737.tif 000004
【００２３】
ここで、上記屋外及び屋内の実験において、切花は同種類・同条件のものを用意し、水の量は各花瓶共ほぼ同量としている。また、毎日午前１０時に観測し、水は毎日計測後に新しいものに交換している。また、表に示す切花の状態は、○のものが咲いている状態、△のものがやや萎れている状態、×のものが枯れている状態を示している。
【図面の簡単な説明】
【００２４】
【図１】この発明の実施形態に係る切花輸送用保水容器の分解斜視図
【図２】同上の本体と蓋の嵌合状態を示す斜視図
【図３】同上の縦断面図
【図４】従来の切花輸送用保水容器を用いた梱包体を示す斜視図
【符号の説明】
【００２５】
１  本体
２  蓋
３  茎挿し口
４  堰止壁
５  フランジ部
６  嵌合面
【図１】
2006062737.tif 000005
【図２】
2006062737.tif 000006
【図３】
2006062737.tif 000007
【図４】
2006062737.tif 000008